(57)【要約】      （修正有）【課題】  受信したメッセージデータに対して、２回以上の受領確認メッセージが送信されることを防止する。【解決手段】  受信したメッセージデータから送信情報を抽出する抽出部１０２と、抽出された送信情報を基に、受信したメッセージデータの受領確認メッセージが送信済みであるか否かを判定する判定部１０３と、判定部１０３による判定結果を基に、受領確認メッセージデータを作成する受領確認メッセージデータ作成部１０４と、作成された受領確認メッセージデータを送信する送信部１０８とを備える。【選択図】      図１
2004289814.tif 000002
【特許請求の範囲】
【請求項１】
メッセージデータを送受信するメッセージデータ送受信装置であって、
受信したメッセージデータから、当該メッセージデータを特定するための第１の情報を含む送信情報を抽出する抽出手段と、
送信済みの受領確認メッセージデータに含まれる送信情報を記録する受領確認メッセージデータ送信情報記録手段と、
前記抽出手段によって抽出された送信情報の第１の情報と、前記受領確認メッセージデータ送信情報記録手段が記録する送信情報の第１の情報とを比較することにより、受信したメッセージデータに対する受領確認メッセージデータが送信済みであるか否かを判定する判定手段と
前記判定手段によって送信済みでないと判定された場合、受領確認メッセージデータを作成する受領確認メッセージデータ作成手段と、
作成された受領確認メッセージデータを受信したメッセージデータの送信元に送信する送信手段とを備えることを特徴とするメッセージデータ送受信装置。
【請求項２】
前記送信情報は、分割メッセージデータであるかを示す分割識別子をさらに含み、
前記判定手段は、前記抽出手段によって抽出された送信情報の分割識別子を基に、受信したメッセージデータが、分割メッセージデータであるか否かを判定し、
前記受領確認メッセージデータ作成手段は、前記判定手段によって、受信したメッセージデータが分割メッセージデータであると判定された場合、当該分割メッセージデータから構成される１件の未分割メッセージデータに対して１件の受領確認メッセージデータを作成することを特徴とする請求項１記載のメッセージデータ送受信装置。
【請求項３】
前記判定手段は、未分割メッセージデータを構成する全ての分割メッセージデータを受信しているか否かを判定し、
前記受領確認メッセージデータ作成手段は、前記判定手段によって、未分割メッセージデータを構成する全ての分割メッセージデータが受信されていないと判定された場合、未分割メッセージデータの送信元に対し、未受信の分割メッセージデータがあることを通知する通知メッセージデータを作成し、
前記送信手段は、前記通知メッセージデータを送信元に送信することを特徴とする請求項２記載のメッセージデータ送受信装置。
【請求項４】
受信したメッセージデータは、メールサーバを介して相手側のメッセージデータ送受信装置から送信され、
前記判定手段は、未分割メッセージデータを構成する全ての分割メッセージデータを受信しているか否かを判定し、
前記判定手段によって、未分割メッセージデータを構成する全ての分割メッセージデータが受信されていないと判定された場合、前記メールサーバに対し、未受信の分割メッセージデータの存在の有無を問い合わせ、問い合わせの結果、未受信の分割メッセージデータが存在した場合、前記メールサーバに対し未受信の分割メッセージデータを受信する問い合わせ手段をさらに備えることを特徴とする請求項２記載のメッセージデータ送受信装置。
【請求項５】
前記受領確認メッセージデータ作成手段は、前記問い合わせ手段による前記問い合わせによっても、未分割メッセージデータを構成するいずれかの分割メッセージデータが未受信である場合、未分割メッセージデータの送信元に未受信の分割メッセージデータがあることを通知する通知メッセージデータを作成し、
前記送信手段は、前記通知メッセージデータを送信することを特徴とする請求項４記載のメッセージデータ送受信装置。
【請求項６】
前記送信情報は、分割メッセージデータの順序を示す分割状態識別子を含み、
前記受領確認メッセージデータ作成手段は、前記分割状態識別子から、どの分割メッセージデータが未受信であるかを特定し、特定結果を本文データとする通知メッセージデータを作成することを特徴とする請求項３又は５記載のメッセージデータ送受信装置。
【請求項７】
前記受領確認メッセージデータ作成手段は、前記通知メッセージデータを前記送信手段が送信した後、当該通知メッセージによって未受信であることが示された分割メッセージデータを受信した場合、当該分割メッセージデータを受信したことを再通知する再通知メッセージデータを作成することを特徴とする請求項６記載のメッセージデータ送受信装置。
【請求項８】
前記送信情報は、受領確認メッセージデータであるか否かを示す受領確認識別子を含み、
前記判定手段は、前記抽出手段によって抽出された送信情報に含まれる受領確認識別子を基に、受信したメッセージデータが、受領確認メッセージデータであるか否かを判定し、
前記受領確認メッセージデータ作成手段は、前記判定手段によって、受信したメッセージデータが受領確認メッセージデータであると判定された場合、受信したメッセージデータに対する受領確認メッセージデータを作成しないことを特徴とする請求項１記載のメッセージデータ送受信装置。
【請求項９】
前記受領確認メッセージデータ作成手段によって作成された受領確認メッセージデータの送信先と、当該受領確認データメッセージの本文データとを対応づけて記録するメッセージデータ作成情報記録手段をさらに備え、
前記判定手段は、作成対象となる受領確認メッセージデータの送信先に対応する本文データが、前記メッセージデータ作成情報記録手段に記録されているか否かを判定し、
前記受領確認メッセージデータ作成手段は、前記判定手段によって、作成対象となる受領確認メッセージデータの送信先に対応する本文データが、前記メッセージデータ作成情報記録手段に記録されていると判定された場合、前記対応する本文データを前記作成対象となる受領確認メッセージデータの本文データとすることを特徴とする請求項１記載のメッセージデータ送受信装置。
【請求項１０】
前記メッセージデータ作成情報記録手段は、全ての受領確認メッセージデータに対し、本文データを共通にするか否かを示す共通本文設定情報と、共通にする場合の受領確認メッセージデータの本文データとして予め作成された共通本文データとをさらに記録し、
前記作成手段は、前記共通本文設定情報が、本文データを共通にすることを示している場合、前記共通本文データを、前記作成対象の受領確認メッセージデータの本文データとすることを特徴とする請求項９記載のメッセージデータ送受信装置。
【請求項１１】
受信したメッセージデータの受信リストを表示する受信リスト表示手段をさらに備え、
前記受信リスト表示手段は、各分割メッセージデータを前記受信リストの１件の表示欄に表示させることなく、当該分割メッセージデータから構成される１件の未分割メッセージデータを、前記受信リストの１件の表示欄に表示させることを特徴とする請求項１記載のメッセージデータ送受信装置。
【請求項１２】
前記受信リストは、各メッセージデータに関する情報を示すアイコンを表示するアイコン表示欄を含み、
前記受信リスト表示手段は、未分割メッセージデータを前記受信リストに表示する際、前記アイコン表示欄に、未分割メッセージデータであることを示すアイコンを表示することを特徴とする請求項１１記載のメッセージデータ送受信装置。
【請求項１３】
前記受信リストに表示された各メッセージデータに対するユーザからの選択指令を受け付ける受付手段をさらに備え、
前記受信リスト表示手段は、前記受付手段が、ユーザからの選択指令を受け付けた場合、未分割メッセージデータを構成する各分割メッセージデータを一覧表示する分割メールリストを表示することを特徴とする請求項１２記載のメッセージデータ送受信装置。
【請求項１４】
送信したメッセージデータの送信リストを表示する送信リスト表示手段をさらに備え、
前記送信リストは、各メッセージデータに関する情報を示すアイコンを表示するアイコン表示欄を含み、
前記送信リスト表示手段は、受領確認メッセージを受信した送信メッセージデータに対しては、前記アイコンを第１の状態で表示し、受領確認メッセージを受信していないメッセージデータに対しては、前記アイコンを前記第１の状態とは異なる第２の状態で表示することを特徴とする請求項１記載のメッセージデータ送受信装置。
【請求項１５】
前記送信リスト表示手段は、過去に受信した所定件数の受領確認メッセージデータについては、前記アイコンを前記第１及び第２の状態とは異なる第３の状態で表示することを特徴とする請求項１４記載のメッセージデータ送受信装置。
【発明の詳細な説明】
【技術分野】
【０００１】
本発明は、テキストや画像等からなるメッセージデータを送受信する機能を備えたメッセージデータ送受信装置に関する。
【背景技術】
【０００２】
近年、急速なインターネットの普及によって、パソコン、携帯電話機、ＰＤＡ（personal digital assistant）などを用いて、メッセージデータ（電子メール、ｅメールなど）の送受信が盛んに行われるようになった。
【０００３】
特に、携帯電話機によるメッセージデータの送受信は、無線通信によって行われるため、無線通信状態が悪いなどの原因で伝送中にメッセージデータが失われてしまうことが生じ易い。このため、送信元のユーザが、送信したメッセージデータを確実に相手先が受信したかどうかを確認する技術が開示されている。
【０００４】
従来の技術として、メッセージデータを送信するサーバ（携帯電話機の基地局）に、メッセージデータの再送のための機能を搭載し、メッセージデータの伝送に失敗した場合に再送する方法があった（例えば、特許文献１参照）。
【０００５】
また、メッセージデータを受信する携帯電話機における技術としては、メッセージデータの受信時または出力時に、自動的に送信元のユーザに送信するかどうかの設定をしておき、設定時に予め作成しておいた受領確認メッセージデータを自動的に送信し、設定していない場合は、手動でメッセージデータを送信するものがあった（例えば、特許文献２参照）。
【特許文献１】特開２００１−２８２６８１号公報
【特許文献２】特開２００２−１０１４６６号公報
【発明の開示】
【発明が解決しようとする課題】
【０００６】
しかしながら、前記特許文献１で開示されている技術では、全国に張り巡らされた膨大な数のサーバ設備を更新するための追加コストが必要であり、メッセージデータの再送を行うことによる、通信リソース利用の非効率化、および通信コストアップなどの課題があった。
【０００７】
また、前記特許文献２で開示されている携帯電話機において、自動的に相手から送信されたメッセージデータに対して受領確認のメッセージデータを送信することが設定されている場合、受領確認メッセージデータを受信すると、受領確認メッセージデータに対して受領確認メッセージデータが送信されてしまい、通信リソースの無駄使いが行われてしまう。
【０００８】
また、現存の携帯電話機のメッセージデータ送受信システムでは、通信リソースに限りがあるため、一度に携帯電話機で受信できるメッセージデータの容量が決まっており、その最大容量を越えた場合に、ひとつの件名のメッセージデータが分割されて複数のメッセージデータとして送信される。この場合においても、分割されたメッセージデータごとに受領確認メッセージデータを送ってしまう可能性があり、通信リソースの無駄使いが行われてしまう。
【０００９】
また、携帯電話におけるメッセージデータサービスでは、メッセージデータの送受信に対してユーザの通信費用が発生するため、上記のように多数の受領確認メッセージデータが勝手に送信されてしまうと、無駄な受領確認メッセージデータに対して通信費用がかかってしまうという課題があった。
【００１０】
本発明は、上記課題を解決するためになされたものであり、受信したメッセージデータに対して、２回以上の受領確認メッセージデータが送信されることを防止し、受領確認メッセージデータに対して受領確認メッセージデータを送信せず、さらに、分割されて送られてくるメッセージデータに対しては、分割メッセージデータ毎に受領確認メッセージデータが送信されることを防止し、通信リソースの使用効率を向上させるメッセージデータ送受信装置を提供することを目的としている。
【課題を解決するための手段】
【００１１】
本発明にかかるメッセージデータ送受信装置は、メッセージデータを送受信するメッセージデータ送受信装置であって、受信したメッセージデータから、当該メッセージデータを特定するための第１の情報を含む送信情報を抽出する抽出手段と、送信済みの受領確認メッセージデータに含まれる送信情報を記録する受領確認メッセージデータ送信情報記録手段と、前記抽出手段によって抽出された送信情報の題名と、前記受領確認メッセージデータ送信情報記録手段が記録する送信情報の題名とを比較することにより、受信したメッセージデータに対する受領確認メッセージデータが送信済みであるか否かを判定する判定手段と前記判定手段によって送信済みでないと判定された場合、受領確認メッセージデータを作成する受領確認メッセージデータ作成手段と、作成された受領確認メッセージデータを受信したメッセージデータの送信元に送信する送信手段とを備えることを特徴とする。
【００１２】
また、前記送信情報は、分割メッセージデータであるかを示す分割識別子をさらに含み、前記判定手段は、前記抽出手段によって抽出された送信情報の分割識別子を基に、受信したメッセージデータが、分割メッセージデータであるか否かを判定し、前記受領確認メッセージデータ作成手段は、前記判定手段によって、受信したメッセージデータが分割メッセージデータであると判定された場合、当該分割メッセージデータから構成される１件の未分割メッセージデータに対して１件の受領確認メッセージデータを作成することが好ましい。
【００１３】
また、前記判定手段は、未分割メッセージデータを構成する全ての分割メッセージデータを受信しているか否かを判定し、前記受領確認メッセージデータ作成手段は、前記判定手段によって、未分割メッセージデータを構成する全ての分割メッセージデータが受信されていないと判定された場合、未分割メッセージデータの送信元に対し、未受信の分割メッセージデータがあることを通知する通知メッセージデータを作成し、前記送信手段は、前記通知メッセージデータを送信元に送信することが好ましい。
【００１４】
また、受信したメッセージデータは、メールサーバを介して相手側のメッセージデータ送受信装置から送信され、前記判定手段は、所定期間経過するまでに、未分割メッセージデータを構成する全ての分割メッセージデータを受信しているか否かを判定し、前記判定手段によって、未分割メッセージデータを構成する全ての分割メッセージデータが受信されていないと判定された場合、前記メールサーバに対し、未受信の分割メッセージデータの存在の有無を問い合わせ、問い合わせの結果、未受信の分割メッセージデータが存在した場合、前記メールサーバに対し未受信の分割メッセージデータを受信する問い合わせ手段をさらに備えることが好ましい。
【００１５】
また、前記受領確認メッセージデータ作成手段は、前記問い合わせ手段による前記問い合わせによっても、未分割メッセージデータを構成するいずれかの分割メッセージデータが未受信である場合、未分割メッセージデータの送信元に未受信の分割メッセージデータがあることを通知する通知メッセージデータを作成し、前記送信手段は、前記通知メッセージデータを送信することが好ましい。
【００１６】
また、前記送信情報は、分割メッセージデータの順序を示す分割状態識別子を含み、前記受領確認メッセージデータ作成手段は、前記分割状態識別子から、どの分割メッセージデータが未受信であるかを特定し、特定結果を本文データとする通知メッセージデータを作成することが好ましい。
【００１７】
また、前記受領確認メッセージデータ作成手段は、前記通知メッセージデータを前記送信手段が送信した後、当該通知メッセージによって未受信であることが示された分割メッセージデータを受信した場合、当該分割メッセージデータを受信したことを再通知する再通知メッセージデータを作成することが好ましい。
【００１８】
また、前記送信情報は、受領確認メッセージデータであるか否かを示す受領確認識別子を含み、前記判定手段は、前記抽出手段によって抽出された送信情報に含まれる受領確認識別子を基に、受信したメッセージデータが、受領確認メッセージデータであるか否かを判定し、前記受領確認メッセージデータ作成手段は、前記判定手段によって、受信したメッセージデータが受領確認メッセージデータであると判定された場合、受信したメッセージデータに対する受領確認メッセージデータを作成しないことが好ましい。
【００１９】
また、前記受領確認メッセージデータ作成手段によって作成された受領確認メッセージデータの送信先と、当該受領確認データメッセージの本文データとを対応づけて記録するメッセージデータ作成情報記録手段をさらに備え、前記判定手段は、作成対象となる受領確認メッセージデータの送信先に対応する本文データが、前記メッセージデータ作成情報記録手段に記録されているか否かを判定し、前記受領確認メッセージデータ作成手段は、前記判定手段によって、作成対象となる受領確認メッセージデータの送信先に対応する本文データが、前記メッセージデータ作成情報記録手段に記録されていると判定された場合、前記対応する本文データを前記作成対象となる受領確認メッセージデータの本文データとすることが好ましい。
【００２０】
また、前記メッセージデータ作成情報記録手段は、全ての受領確認メッセージデータに対し、本文データを共通にするか否かを示す共通本文設定情報と、共通にする場合の受領確認メッセージデータの本文データとして予め作成された共通本文データとをさらに記録し、前記作成手段は、前記共通本文設定情報が、本文データを共通にすることを示している場合、前記共通本文データを、前記作成対象の受領確認メッセージデータの本文データとすることが好ましい。
【００２１】
また、受信したメッセージデータの受信リストを表示する受信リスト表示手段をさらに備え、前記受信リスト表示手段は、各分割メッセージデータを前記受信リストの１件の表示欄に表示させることなく、当該分割メッセージデータから構成される１件の未分割メッセージデータを、前記受信リストの１件の表示欄に表示させることが好ましい。
【００２２】
また、前記受信リストは、各メッセージデータに関する情報を示すアイコンを表示するアイコン表示欄を含み、前記受信リスト表示手段は、未分割メッセージデータを前記受信リストに表示する際、前記アイコン表示欄に、未分割メッセージデータであることを示すアイコンを表示することが好ましい。
【００２３】
また、前記受信リストに表示された各メッセージデータに対するユーザからの選択指令を受け付ける受付手段をさらに備え、前記受信リスト表示手段は、前記受付手段が、ユーザからの選択指令を受け付けた場合、未分割メッセージデータを構成する各分割メッセージデータを一覧表示する分割メールリストを表示することが好ましい。
【００２４】
また、送信したメッセージデータの送信リストを表示する送信リスト表示手段をさらに備え、前記送信リストは、各メッセージデータに関する情報を示すアイコンを表示するアイコン表示欄を含み、前記送信リスト表示手段は、受領確認メッセージを受信した送信メッセージデータに対しては、前記アイコンを第１の状態で表示し、受領確認メッセージを受信していないメッセージデータに対しては、前記アイコンを前記第１の状態とは異なる第２の状態で表示することが好ましい。
【００２５】
また、前記送信リスト表示手段は、過去に受信した所定件数の受領確認メッセージデータについては、前記アイコンを前記第１及び第２の状態とは異なる第３の状態で表示することが好ましい。
【発明の効果】
【００２６】
本発明にかかるメッセージデータ送受信装置によれば、送信済みの受領確認メッセージデータに含まれる送信情報が受領確認メッセージデータ送信情報記録手段に記録され、受信したメッセージデータに含まれる送信情報が抽出され、抽出された送信情報の題名と、受領確認メッセージデータ送信情報記録手段に記録されている送信情報の題名とが比較される。そして、題名を基に、受信したメッセージデータに対する受領確認メッセージが送信済みであるか否かが判定され、送信済みでない場合、受領確認メッセージデータが作成され、送信される。したがって、既に、受領確認メッセージデータが送信されたメッセージデータに対して、再度、受領確認メッセージデータが送信されることを防止することができる。そのため、通信リソースの利用効率を向上させることができる。
【００２７】
請求項２記載の発明によれば、１件の未分割メッセージデータに対して１件の受領確認メッセージデータが作成されるため、分割メッセージデータ毎に、１件の受領確認メールが送信されることを防止することができる。その結果、通信リソースの利用効率を向上させることができる。
【００２８】
請求項３記載の発明によれば、未分割メッセージデータの送信元に、未受信の分割メッセージデータがあることを示す通知メッセージデータが送信されるため、送信元は、分割メッセージデータの一部が未受信であることを認識することができる。
【００２９】
請求項４記載の発明によれば、分割メッセージデータを受信してから所定時間経過するまでに、分割メッセージデータに関連する分割メッセージデータを全て受信しなかった場合、メールサーバに問い合わせ、メールサーバに存在する場合、メールサーバから未受信の分割メッセージデータが送信されるため、送信元は、一度送信した分割メッセージデータを再度送信する回数を減少させることができるとともに、送信元のパケット代金の低減を図ることができる。加えて、送信元に問い合わせるのではなく、メールサーバに直接問い合わせているため、問い合わせレスポンスの高速化を図ることができる。
【００３０】
請求項５記載の発明によれば、メールサーバに未受信の分割メッセージデータを問い合わせによっても、関連する分割メッセージデータを全て受信できなかった場合、送信元に未受信の分割メッセージデータがあることを通知する通知メッセージデータが送信されるため、送信元は、確実に未受信の分割メッセージデータがあることを知ることができる。
【００３１】
請求項６記載の発明によれば、送信元は、どの分割メッセージデータが未受信であるかを認識することができるため、未分割メッセージデータを構成する全ての分割メッセージデータを再送信することなく、未受信の分割メッセージデータのみを再送することが可能となり、余分なデータの送信を抑制することができるとともに、パケット代金の低減を図ることができる。
【００３２】
請求項７記載の発明によれば、分割メッセージデータの受信元が、通知メッセージデータを送信した後、通知メッセージデータによって未受信であることが示された分割メッセージデータを受信した場合、その分割メッセージデータを受信したこと再通知する再通知メッセージデータが送信元に送信されるため、送信元は、当該分割メッセージデータを再送信する手間を省くことができる。
【００３３】
請求項８記載の発明によれば、受信したメッセージデータが、相手先からの受領確認メッセージである場合、受領確認メッセージデータが作成されないため、受領確認メッセージデータに対して、受領確認メッセージデータが送信されることを防止することができる。
【００３４】
請求項９記載の発明によれば、受領確認メッセージデータの送信実績がある相手先に対しては、過去に使用した本文データが、受領確認メッセージデータの本文データとして自動的に設定され、相手先に送信されるため、受領確認メッセージデータを再度作成する手間を省くことができる。
【００３５】
請求項１０記載の発明によれば、共通本文設定情報に、全ての受領確認メッセージデータを共通にすることを示す情報が設定されている場合、予め作成された共通本文データが、受領確認メッセージデータの本文データとして自動的に設定され、相手先に送信されるため、受領確認メッセージデータを送信する毎に、本文データを作成する手間を省くことができる。
【００３６】
請求項１１記載の発明によれば、受信リストは、１件の分割メッセージデータを１件の表示欄に表示するのではなく、１件の未分割メッセージデータを１件の表示欄に表示するため、異なるメッセージデータをより多く表示することができる。特に、携帯電話機のように表示部のサイズが小さい装置に対し、本発明による受信リストは有用となる。
【００３７】
請求項１２記載の発明によれば、未分割メッセージデータの表示欄には、未分割メッセージデータであることを示すアイコンが表示されるため、ユーザは、受信リストからどのメッセージデータが未分割メッセージデータであるかを速やかに認識することができる。
【００３８】
請求項１３記載の発明によれば、受信リストから未分割メッセージデータが選択されると、当該未分割メッセージデータを構成する分割メッセージデータを一覧表示する分割メールリストが表示されるため、ある分割メッセージデータに対し、関連する分割メッセージデータを容易に探し出すことができる。
【００３９】
請求項１４記載の発明によれば、受領確認メッセージを受信したメッセージデータと、受領確認メッセージデータを受信していないメッセージデータとを速やかに認識することができる。
【００４０】
請求項１５記載の発明によれば、最近、受信した受領確認メッセージデータを速やかに認識することができる。
【発明を実施するための最良の形態】
【００４１】
（第１実施形態）
以下、本発明の実施の形態について図面を用いて説明する。図１は、本発明にかかるメッセージデータ送受信装置の第１実施形態の構成の一例を示すブロック図である。図１において、メッセージデータ送受信装置は、本体部１０、操作部２０及び表示部３０を備えている。本体部１０は、受信部１０１、抽出部１０２、判定部１０３、メッセージデータ作成部１０４、受信メッセージデータ記録部１０５、受領確認メッセージデータ送信情報記録部１０６、受領確認メッセージデータ作成情報記録部１０７及び送信部１０８を備えている。本実施形態では、メッセージデータ送受信装置は、電子メール機能を備えるパソコン又は携帯電話等の装置により構成される。
【００４２】
受信部１０１は、通信回線を介して送信されたメッセージデータを受信する。受信したメッセージデータに対して自動的に受領確認メッセージデータを作成するモード（以下、「自動作成モード」と称する。）が設定されている場合、受信部１０１は、受信したメッセージデータを抽出部１０２に通知する。一方、受信したメッセージデータに対して手動で受領確認メッセージデータを作成するモード（以下、「手動作成モード」と称する。）が設定されている場合、受信部１０１は、受信したメッセージデータを受信メッセージデータ記録部１０５に記録させる。
【００４３】
なお、受領確認メッセージデータとは、メッセージデータを受信したことを送信元に知らせるために、送信するメッセージデータであり、メッセージデータを受信したこと自体をその内容とするメッセージデータである。
【００４４】
受信メッセージデータ記録部１０５は、手動作成モードが設定されている場合、受信部１０１によってメッセージデータが記録される。また、自動作成モードが設定されている場合、抽出部１０２によってメッセージデータが記録される。なお、メッセージデータは、送信元のユーザ若しくは自動的にパソコンなどの機器が作成した文面を示す本文データと、メッセージの送信に関する種々の情報を示す送信情報とを含む。
【００４５】
送信情報は、メッセージデータの題名と、メッセージデータの送信元を示す送信元識別子と、メッセージデータの送信先を示す送信先識別子と、メッセージデータを他のメッセージデータと識別するための識別番号と、メッセージデータが分割メッセージデータであるかを示す分割識別子と、分割メッセージデータの順序を示す分割状態識別子と、受領確認メッセーデータであるか否かを示す受領確認識別子と、メッセージデータの送信日時を示す送信時刻情報とを含む。送信元識別子及び送信先識別子は、例えばメールアドレスが該当する。また、受領確認メッセージデータの題名は、受信したメッセージデータの題名の後に、例えば「受領確認」という文言を付与したものが題名とされる。
【００４６】
分割メッセージデータとは、複数に分割して送信されたメッセージデータのことを示す。そして、分割前のメッセージデータのことを「未分割メッセージデータ」と称する。したがって、未分割メッセージデータは、複数の分割メッセージデータから構成される。また、ある分割メッセージデータに対し、未分割メッセージデータを同一とする分割メッセージデータのことを「関連する分割メッセージデータ」と称する。
【００４７】
分割メッセージデータのうち、最初の分割メッセージデータの分割状態識別子としては、最初であることを示すデータが設定され、最終の分割メッセージデータの分割状態識別子としては、最終であることを示すデータが設定され、最初及び最終以外の分割メッセージデータの分割状態識別子としては、その順序を示すデータ及び継続を示すデータが設定されている。
【００４８】
抽出部１０２は、自動作成モードが設定されている場合、受信部１０１から通知されたメッセージデータから送信情報を抽出し、当該メッセージデータを受信メッセージデータ記録部１０５に記録させるとともに、抽出した送信情報と併せて判定部１０３に通知する。一方、手動作成モードが設定されている場合、抽出部１０２は、ユーザによって指定されたメッセージデータを受信メッセージデータ記録部１０５から読み出し、受信情報を抽出した後、当該メッセージデータと併せて判定部１０３に通知する。
【００４９】
受領確認メッセージデータ送信情報記録部１０６は、送信部１０８が送信した全ての受領確認メッセージデータの送信情報を記録する。
【００５０】
受領確認メッセージデータ作成情報記録部１０７は、図２に示すように、受領確認メッセージデータ作成情報１０７ａと、共通本文設定情報１０７ｂと、共通本文データ１０７ｃとを記録している。受領確認メッセージデータ作成情報１０７ａは、送信部１０８が送信した全ての受領確認メッセージデータの送信先識別子と、各送信先識別子に対する受領確認メッセージデータの本文データとが対応づけられたデータとから構成されている。
【００５１】
共通本文設定情報１０７ｂは、受信した全てのメッセージデータに対し、同一内容の受領確認メッセージデータを送信するか否かを示すデータである。受信した全てのメッセージデータに対し、同一内容の受領確認メッセージデータを送信する場合、例えば「１」のフラグが設定され、受信した全てのメッセージデータに対し、同一内容の受領確認メッセージデータを送信しない場合は、「０」のフラグが設定される。
【００５２】
共通本文データ１０７ｃは、受信した全てのメッセージデータに対し、同一内容の受領確認メッセージデータを送信する場合に使用される本文データから構成されている。
【００５３】
図１に示す判定部１０３は、抽出部１０２によって抽出された送信情報に含まれる題名と、受領確認メッセージデータ送信情報記録部１０６に記録された送信情報の題名とを比較することにより、受領確認メッセージデータを作成するか否かを判定する。また、判定部１０３は、抽出部１０２によって抽出された送信情報に含まれる分割識別子及び分割状態識別子に設定されたデータを参照することにより、受領確認メッセージデータを作成するか否かを判定する。さらに、判定部１０３は、抽出部１０２によって抽出された送信情報に含まれる受領確認識別子を参照することにより受領確認メッセージデータを作成するか否かを判定する。
【００５４】
さらに、判定部１０３は、受領確認メッセージデータを作成すると判定した場合、受領確認メッセージデータ作成情報記録部１０７に記録されている受領確認メッセージデータ作成情報１０７ａ、共通本文設定情報１０７ｂ、共通本文データ１０７ｃを参照することにより、作成対象となる受領確認メッセージデータの本文データを設定する。
【００５５】
メッセージデータ作成部１０４は、判定部１０３から通知される種々の情報を基に、受領確認メッセージを作成する。送信部１０８は、メッセージデータ作成部１０４によって作成された受領確認メッセージデータ等を送信する。また、送信部１０８は、送信した受領確認メッセージデータの送信情報を受領確認メッセージデータ送信情報記録部１０６に記録する。さらに、送信部１０８は、送信した受領確認メッセージデータの送信先識別子と本文データとを対応づけて受領確認メッセージデータ作成情報記録部１０７に記録させ、受領確認メッセージデータ作成情報１０７ａを更新する。
【００５６】
操作部２０は、種々の操作キーを含み、ユーザが操作指令を入力するために用いられる。表示部３０は、液晶パネル、有機ＥＬパネル等から構成され、本体部１０の制御の下、種々の情報を表示する。
【００５７】
図３は、第１実施形態のメッセージデータ送受信装置の動作を示したフローチャートである。まず、受信部１０１は、メッセージデータを受信すると（ステップＳ９９）、自動作成モードが設定されているか否かを判定し（ステップＳ１００）、自動作成モードが設定されている場合（ステップＳ１００でＹＥＳ）、受信部１０１は、受信したメッセージデータを抽出部１０２に通知し、抽出部１０２は、通知されたメッセージから送信情報を抽出する（ステップＳ１０３）。一方、手動作成モードが設定されていると判定した場合（ステップＳ１００でＮＯ）、受信部１０１は、受信したメッセージデータを受信メッセージデータ記録部１０５に記録させる（ステップＳ１０１）。
【００５８】
ステップＳ１０２において、抽出部１０２は、受信メッセージデータ記録部１０５に記録されたメッセージデータの中から、操作部２０を介してユーザによって指定されたメッセージデータの送信情報を抽出する。
【００５９】
ステップＳ１０４において、判定部１０３は、抽出部１０２によって抽出された送信情報に含まれる分割識別子に、分割メッセージデータを示す情報が設定されているか否かを判定し、当該識別子が分割メッセージデータを示す情報が設定されている場合（ステップＳ１０４でＹＥＳ）、ステップＳ１０５に進む。
【００６０】
ステップＳ１０５において、判定部１０３は、抽出部１０２によって抽出された送信情報に含まれる分割状態識別子に最終を示すデータが設定されているか否かを判定し、最終を示すデータが設定されている場合（ステップＳ１０５でＹＥＳ）、ステップＳ１０６に進む。一方、分割状態識別子に最終を示すデータが設定されていない場合（ステップＳ１０５でＮＯ）、処理が終了される。これにより、分割メッセージデータ毎に受領確認メッセージデータが送信されることを防止することができる。
【００６１】
ステップＳ１０４において、分割識別子に分割を示すデータが設定されていない場合（ステップＳ１０４でＮＯ）、判定部１０３は、抽出部１０２によって抽出された送信情報に含まれる受領確認識別子が受領確認メッセージデータを示すか否かを判定する（ステップＳ１０６）。
【００６２】
ステップＳ１０６において、受領確認識別子が受領確認メッセージであることを示す場合（ステップＳ１０６でＹＥＳ）、すなわち、受信したメッセージデータが相手先からの受領確認メッセージデータである場合、受領確認メッセージデータを作成する必要はないため、処理が終了される。これにより、受領確認メッセージデータに対して受領確認メッセージデータが送信されることが防止される。
【００６３】
受領確認識別子が受領確認メッセージデータであることを示さない場合（ステップＳ１０６でＮＯ）、ステップＳ１０７において、判定部１０３は、受信したメッセージデータに対して、受領確認メッセージデータが既に送信済みであるか否かを判定する。この場合、判定部１０３は、抽出部１０２によって抽出された送信情報の題名の後に、「（受領確認）」と記された題名を有する送信情報が、受領確認メッセージデータ送信情報記録部１０６に記録されているか否かにより上記判定を行なう。
【００６４】
そして、受領確認メッセージが送信済みであると判定された場合（ステップＳ１０７でＹＥＳ）処理を終了する。一方、受領確認メッセージデータが未送信であると判定された場合（ステップＳ１０７でＮＯ）、ステップＳ１０８に進む。
【００６５】
ステップＳ１０８において、判定部１０３は、共通本文設定情報のフラグが「１」であるか否かを判定し、フラグが「１」を示す場合（ステップＳ１０８でＹＥＳ）、受領確認メッセージデータ作成情報記録部１０７から共通本文データ１０７ｃを読み出し、抽出部１０２によって抽出された送信情報と併せてメッセージデータ作成部１０４に通知する（ステップＳ１１２）。
【００６６】
一方、共通本文設定情報のフラグが「０」を示す場合（ステップＳ１０８でＮＯ）、判定部１０３は、抽出部１０２によって抽出された送信情報に含まれる送信元識別子と同一の送信先識別子が、受領確認メッセージデータ作成情報１０７ａ中に存在するか否かを判定する（ステップＳ１０９）。そして、送信先識別子が受領確認メッセージデータ作成情報１０７ａ中に存在する場合（ステップＳ１０９でＹＥＳ）、判定部１０３は、受領確認メッセージデータ作成情報１０７ａから送信先識別子に対応する本文データを読み出し、抽出部１０２によって抽出された送信情報と併せてメッセージデータ作成部１０４に通知する（ステップＳ１１０）。
【００６７】
一方、ステップＳ１０９において、判定部１０３は、抽出部１０２によって抽出された送信元識別子と同一の送信先識別子が、受領確認メッセージデータ作成情報１０７ａに存在しないと判定した場合（ステップＳ１０９でＮＯ）、ステップＳ１１１に進む。
【００６８】
ステップＳ１１１において、共通本文データ１０７ｃを使用する操作指令がされると（ステップＳ１１１でＹＥＳ）、判定部１０３は、処理をステップＳ１１２に進める。一方、共通本文データ１０７ｃを使用する操作指令がされない場合（ステップＳ１１１でＮＯ）、判定部１０３は、受領確認メッセージに対する本文データの入力画面を表示部３０に表示させ、ユーザからの本文データの入力を受け付ける（ステップＳ１１３）。この場合、ユーザは、本文データの入力画面を見ながら、操作部２０を操作して所望する本文データを入力する。
【００６９】
ステップＳ１１４において、メッセージデータ作成部１０４は、判定部１０３から通知された共通本文データ１０７ｃ及び送信情報から、受領確認メッセージデータを作成し、送信部１０８に通知する。この場合、メッセージデータ作成部１０４によって作成される全ての受領確認メッセージデータの本文データは共通本文データ１０７ｃの内容となる。
【００７０】
ステップＳ１１５において、メッセージデータ作成部１０４は、判定部１０３から通知された本文データ及び送信情報から受領確認メッセージデータを作成し、送信部１０８に通知する。この場合、メッセージデータ作成部１０４によって作成される受領確認メッセージデータの本文データは、同一の送信先識別子に対して過去に作成された受領確認メッセージデータの本文データと同一となる。
【００７１】
ステップＳ１１６において、メッセージデータ作成部１０４は、判定部１０３から通知された本文データ及び送信情報から受領確認メッセージデータを作成し、送信部１０８に通知する。この場合、メッセージデータ作成部１０４によって作成される受領確認メッセージデータの本文データは、ユーザによって入力された本文データとなる。
【００７２】
ステップＳ１１４〜Ｓ１１６の処理において、メッセージデータ作成部１０４は、判定部１０３から通知された送信情報に含まれる送信元識別子を、作成対象の受領確認メッセージデータの送信先識別子として設定し、作成対象の受領確認メッセージデータの受領確認識別子に、受領確認メッセージデータであることを示すデータを設定する。これにより、この受領確認メッセージデータに対し、相手側から受領確認メッセージデータが送信されることが防止される。さらに、受信したメッセージデータの後に、「（受領確認）」と記したものを受領確認メッセージの題名とする。
【００７３】
ステップＳ１１７において、送信部１０８は、メッセージデータ作成部１０４より作成された受領確認メッセージデータを送信する。そして、送信部１０８は、送信動作終了後に、メッセージデータ作成部１０４によって作成された受領確認メッセージデータの送信情報を受領確認メッセージデータ送信情報記録部１０６に記録し（ステップＳ１１８）、処理を終了する。
【００７４】
なお、上記フローチャートにおいて、判定部１０３は、まず、分割メッセージデータであるか否かを判定し（ステップＳ１０４）、次いで、受領確認メッセージデータであるか否かの判定を行い（ステップＳ１０６）、次いで、受領確認メッセージデータが送信済みであるか否かの判定を行っているが（ステップＳ１０７）、一例であり、これら判定の順番を適宜入れ替えてもよい。
【００７５】
また、分割メッセージデータが受信されている場合、分割メッセージデータに関連する他の分割メッセージデータを全て受け取ったタイミングで受領確認メッセージを送信してもよいし、先頭の分割メッセージを受け取ったタイミングで受領確認メッセージを送信してもよい。さらには、分割メッセージデータに関連する分割メッセージデータを特定個数受信したときに、受領確認メッセージを送信するようにしてもよい。
【００７６】
図５は、ユーザからの操作指令により、表示部３０に表示される種々の画面の一例を示した図である。なお、これらの画面は判定部１０３によって作成され、表示部３０に表示される。
【００７７】
「メニュー設定」画面Ｍ１は、メッセージデータに関する各種設定項目が表示された画面であり、「文字サイズ設定」、「引用設定」、「受領確認メッセージ」、「署名設定」及び「グループ表示設定」の各項目から構成されている。ユーザにより「受領確認メッセージ」Ｍ１１の項目が選択されると、表示部３０には「受領確認メッセージの設定」画面Ｍ２が表示される。
【００７８】
「受領確認メッセージの設定」画面Ｍ２は、「送信設定」及び「受領確認メッセージ」の項目から構成されている。そして、ユーザにより「受領確認メッセージ」Ｍ２１の項目が選択されると、表示部３０には「受領確認メッセージ作成の設定」画面Ｍ３が表示される。
【００７９】
「受領確認メッセージ作成の設定」画面Ｍ３は、「共通メッセージ作成」及び「個別メッセージ作成」の各項目を備えている。そして、「個別メッセージ作成」項目Ｍ３１が選択されたると、表示部３０には「受領確認メッセージ作成の個別設定」画面Ｍ４が表示される。
【００８０】
「受領確認メッセージ作成の個別設定」画面Ｍ４は、「送信先」欄及び「メッセージ本文」欄から構成されている。「送信先」欄には、受領確認メッセージデータの送信先のメールアドレスである「 HYPERLINK "mailto:abc@def.com" abc@def.com」が表示されている。このメールアドレスは、判定部１０３が、送信情報に含まれる送信元識別子を読み出し、受領確認メッセージデータの送信先識別子として設定したメールアドレスである。
【００８１】
「メッセージ本文」欄に表示された文書は、操作部２０を介してユーザによって入力されたメッセージである。ユーザは、操作部２０を操作し、この「受領確認メッセージ作成の個別設定」画面Ｍ４において、受領確認メッセージデータの本文データを入力する。そして、ユーザにより決定指令がなされると、判定部１０３は、入力された本文データを受け付け、メッセージデータ作成部１０４に通知する。
【００８２】
送信部１０８は、受領確認メッセージデータを送信すると、「メッセージ本文」欄に表示された本文データと、「送信先」欄に記載されたメールアドレスである送信先識別子とを対応づけて、受領確認メッセージデータ作成情報記録部１０７に記録させ、受領確認メッセージデータ作成情報１０７ａを更新する。
【００８３】
なお、図５では、個別の送信先識別子に対するメッセージデータの例を示したが、「受領確認メッセージ作成の設定」画面Ｍ３において、「共通メッセージ作成」項目Ｍ３１が選択された場合、表示部３０には、「受領確認メッセージ作成の個別設定」画面Ｍ４と同様な画面が表示され、ユーザに共通本文データ１０７ｃを入力させる。入力された共通本文データ１０７ｃは、受領確認メッセージデータ作成情報記録部１０７に記録される。
【００８４】
図６は、自動作成モードにおいて、ユーザが受領確認メッセージを送信する操作を行なった際に、表示部３０にされる種々の画面の一例を示した図である。「メニュー設定」画面Ｎ１及び「受領確認メッセージの設定」画面Ｎ２は、図５に示すＭ１及びＭ２と同一である。なお、これらの画面は、判定部１０３によって作成され表示部３０に表示される。
【００８５】
「受領確認メッセージの設定」画面Ｎ２において、「送信設定」項目Ｎ２２が選択されると、表示部３０には、受領確認メッセージを自動送信するか否かを選択させるための「受領確認メッセージ送信設定」画面Ｎ３が表示される。「受領確認メッセージ送信設定」画面Ｎ３において、「ＹＥＳ」ボタンＮ３１が選択されると、表示部３０には、受信した全てのメッセージデータに対し、受領確認メッセージデータを自動送信するか否かを選択させるための「自動送信設定」画面Ｎ４が表示される。これにより、自動作成モードが設定される。一方、「受領確認メッセージ送信設定」画面Ｎ３において、「ＮＯ」ボタンＮ３２が選択されると、手動設定モードが設定される。
【００８６】
「自動送信設定」画面Ｎ４において、「ＮＯ」ボタンＮ４２が選択されると、表示部３０には、「おしらせ」画面Ｎ５が表示される。これにより、自動作成モードが設定される。この場合、共通本文設定情報１０７ｂに対し、「０」のフラグが設定される。
【００８７】
一方、「自動送信設定」画面Ｎ４において、「ＹＥＳ」ボタンＮ４１が選択されると、共通本文設定情報１０７ｂに、「１」のフラグが設定される。この場合、受信した全てのメッセージデータに対して、共通本文データ１０７ｃを本文データとする受領確認メッセージデータが作成される。
【００８８】
図７は、手動作成モードにおいて、作成対象となる受領確認メッセージデータの送信先識別子に対応する本文データが、受領確認メッセージデータ作成情報に存在する場合、ユーザが受領確認メッセージデータを送信する操作を行なった際、表示部３０に表示される種々の画像の一例を示した図である。なお、これらの画面は判定部１０３によって作成され、表示部３０に表示される。
【００８９】
「受信メッセージデータ一覧」画面Ｏ１は、受信部１０１が受信したメッセージデータの送信元を示す「送信者」欄、「題名」欄及び受信したメッセージデータに関する状態を示すアイコン表示欄から構成され、１行につき１件のメッセージデータが表示されている。「受信メッセージデータ一覧」画面Ｏ１は、ユーザによって選択された欄は、「送信者」欄及び「題名」欄の背後が色付き表示される。この場合、１行目のメッセージデータが、選択されている。１行目のメッセージデータは、受領確認メッセージが未受信であり、かつ、既読であるため、封が閉じられた白抜きのアイコンが表示されている。２行目のメッセージデータは、既読であり、かつ、受領確認メッセージデータが未送信であるため、開封された白抜きのアイコンが表示されている。
【００９０】
３行目のメッセージデータは、受領確認メッセージデータが送信済みであり、かつ、本文データも閲覧されているため、開封された色付きのアイコンが表示されている。
【００９１】
そして、ユーザによって選択実行指令がなされると、「メニュー」リストＯ２が表示される。「メニュー」リストＯ２は、「返信」、「削除」、「受領確認送信」、「アドレス帳追加」及び「保護／削除」の各項目から構成されている。「メニュー」リストＯ２では、ユーザによって選択された項目は、背後が色付き表示される。この場合、「受領確認送信」欄Ｏ２２が選択されている。そして、ユーザによって選択実行指令がなされると、「送信しました！！」との文言が表示された「お知らせ」ダイアログＯ３が表示される。これにより、「受信メッセージデータ一覧」画面Ｏ１１の１行目に表示されたメッセージデータに対する受領確認メッセージデータが送信される。
【００９２】
そして、「受信メッセージデータ一覧」画面Ｏ４が表示される。この場合、１行目のメッセージデータのアイコン表示欄には、受領確認メッセージデータが送信済みであることを示す色付きアイコンが表示される。これにより、ユーザは、１行目のメッセージデータが、未読であり、かつ、受領確認メッセージが送信済みであることが一目でわかることができる。
【００９３】
図８は、手動作成モードにおいて、作成対象となる受領確認メッセージデータの送信先識別子に対応する本文データが、受領確認メッセージデータ作成情報に存在しない場合、ユーザが受領確認メッセージを送信する操作を行なった際、表示部３０に表示される種々の画面の一例を示した図である。なお、これらの画面は、判定部１０３によって作成され、表示部３０に表示される。
【００９４】
図８に示す「受信メッセージデータ一覧」画面Ｐ１、「メニュー」リストＰ２、「お知らせ」ダイアログＰ４及び「受信メッセージデータ一覧」画面Ｐ５は、それぞれ、図７に示すＯ１、Ｏ２、Ｏ３及びＯ４と同一である。
【００９５】
図７との相違点は、「メニュー」リストＰ２から「お知らせ」ダイアログＰ４に遷移する間に、「受領確認送信」ダイアログＰ３が表示される点にある。これは、図４に示すステップＳ１０９においてＮＯと判定された場合に表示される。そして、「受領確認送信」ダイアログＰ３において、ユーザが「ＹＥＳ」ボタンＰ３１を選択すると、「お知らせ」ダイアログＰ４が表示される。これにより、共通本文データ１０７ｃを本文データとする受領確認メッセージが送信されることとなる。
【００９６】
図９は、手動作成モードにおいて、受領確認メッセージデータが受信済みのメッセージデータに対して、再度、受領確認メッセージデータを送信する操作をユーザが行なった際に、表示部３０に表示される種々の画面の一例を示した図である。なお、これらの画面は、判定部１０３によって作成され、表示部３０に表示される。「受信メッセージデータ一覧」画面Ｑ１の１行目のアイコン表示項目には、受領確認メッセージデータが送信済みであることを示す色付きのアイコンが表示されている。そして、ユーザにより１行目のメッセージデータの選択実行指令がなされると、「メニュー」リストＱ２が表示される。そして、「メニュー」リストＱ２から「受領確認送信」項目Ｑ２１が選択されると、「送信できません。受領確認を送信済みです！！」と表示された「お知らせ」ダイアログＱ３が表示される。この判断は、判定部１０３によって、このメッセージデータの送信情報と同一の送信情報が、受領確認メッセージデータ送信情報記録部１０６に記憶されているか否かにより判定される。これにより、受領確認メッセージが送信済みのメッセージデータに対し、再度、受領確認メッセージデータが送信されることが防止されている。
【００９７】
図１０は、手動作成モードにおいて、受領確認メッセージデータに対して、受領確認メッセージデータを送信する操作をユーザが行なった際に、表示部３０に表示される種々の画面の一例を示した図である。なお、これらの画面は、判定部１０３によって作成され、表示部３０に表示される。「受信メッセージデータ一覧」Ｒ１の４行目の「題名」項目の欄には、「受領確認」Ｒ１１と表示されており、このメッセージデータが、受領確認メッセージデータであることを示している。そして、ユーザにより４行目のメッセージデータが選択されると、「メニュー」リストＲ２が表示され、さらに「受領確認送信」項目Ｒ２１が選択されると、「受領確認に対する受領確認は送信できません」との文言が表示された「お知らせ」ダイアログＲ３が表示される。この判断は、判定部１０３が、メッセージデータの送信情報の受領確認識別子を参照することにより行なわれる。これにより、受領確認メッセージデータに対する受領確認メッセージデータの送信が防止される。
【００９８】
図１１は、手動作成モードにおいて、分割メッセージデータのうち最終の分割メッセージデータに対して、受領確認メッセージデータを送信する操作をユーザが行なった際に、表示部３０に表示される種々の画面を示した図である。なお、これらの画面は、判定部１０３によって作成され、表示部３０に表示される。
【００９９】
「受信メッセージデータ一覧」画面Ｓ１には、４分割された４件の分割メッセージデータが表示されている。１行目の分割メッセージデータは、未分割メッセージデータの最終の分割メッセージデータであり、題名の後ろに「４／４」と表示されている。そして、１行目の分割メッセーデータが選択されると、「メニュー」リストＳ２が表示され、「受領確認送信」項目Ｓ２１が選択されると、「送信しました！！」との文言が表示された「お知らせ」ダイアログＳ３が表示される。この場合、判定部１０３が、１行目の分割メッセージデータの分割状態識別子を参照することにより、この分割メッセージデータが最終の分割メッセージデータであるか否かが判定されている。「お知らせ」ダイアログＳ３が表示された後、再度、「受信メッセージデータ一覧」画面Ｓ４が表示される。この場合、４件の分割メッセージデータのアイコン表示欄の全てに、受領確認メッセージデータが送信済みであることを示す色付きのアイコンが表示される。これにより、ユーザは、分割メッセージデータに対して、受領確認メッセージデータが送信済みであることを一目で認識することができる。
【０１００】
図１２は、手動作成モードにおいて、分割メッセージデータのうち最初の分割メッセージデータに対して、受領確認メッセージデータを送信する操作をユーザが行なった際に、表示部３０に表示される種々の画面を示した図である。なお、これらの画面は、判定部１０３によって作成され、表示部３０に表示される。
【０１０１】
「受信メッセージデータ一覧」画面Ｔ１には、図１１に示す「受信メッセージデータ一覧」画面Ｓ１同様、４分割された４件の分割メッセージデータが表示されている。４行目の分割メッセージデータは、未分割メッセージデータの最初のメッセージデータであり、題名の後ろに「１／４」と示されている。そして、４行目の分割メッセージデータがユーザによって選択されると、「メニュー」リストＴ２が表示され、「受領確認送信」項目Ｔ２１が選択されると、「受領確認は送信できません」との文言が表示された「お知らせ」ダイアログＴ３が表示される。この場合、判定部１０３が、分割メッセージデータの分割状態識別子が最終を示さないと判定した場合、「お知らせ」ダイアログＴ３が表示される。
【０１０２】
以上説明したように、第１実施形態にかかるメッセージデータ送受信装置によれば、各分割メッセージデータに対して受領確認メッセージデータが送信されず、一度、受領確認メッセージデータを送信したメッセージデータに対し、再度受領確認メッセージデータが送信されず、受領確認メッセージを受信した際、当該受領確認メッセージデータに対し受領確認メッセージデータを送信されないため、不要なメッセージデータの送信を防止することができ、通信リソースの利用効率を向上させることができる。さらに、過去に受領確認メッセージデータを作成した送信先からのメッセージデータに対しては、過去に作成した本文データが採用されるため、メッセージデータ毎に本文データを作成する手間を省くことができる。さらに、受領確認メッセージデータの本文データを共通にすることが設定されている場合は、共通本文データ１０７ｃが本文データとして採用され、自動的に受領確認メッセージデータが作成されるため、メッセージデータ毎に本文データを作成する手間を省くことができる。
【０１０３】
（第２実施形態）
次に、本発明にかかる第２実施形態のメッセージデータ送受信装置について説明する。図１３は、第２実施形態のメッセージデータ送受信装置のブロック図を示している。なお、第１の実施形態と同一のものは、同一の符号を付し、説明を省略する。第２実施形態のメッセージデータ送受信装置は、第１実施形態のメッセージデータ送受信装置に対し、分割メッセージデータ記録部１０９及び時間管理部１１０をさらに備えている。
【０１０４】
第２実施形態では、受信部１０１は、手動作成モード及び自動作成モード問わず、受信したメッセージデータを、抽出部１０２に通知する。また、抽出部１０２は、受信部１０１により通知されたメッセージデータから送信情報を抽出し、メッセージデータと併せて判定部１０３に通知する。さらに、判定部１０３は、抽出部１０２によって抽出された送信情報に含まれる分割識別子が、分割メッセージデータであることを示す場合、その送信情報を含む分割メッセージデータを分割メッセージデータ記録部１０９に記録させる。一方、判定部１０３は、分割識別子が分割メッセージデータであることを示さない場合、すなわち、分割メッセージデータ以外のメッセージデータは、受信メッセージデータ記録部１０５に記録させる。
【０１０５】
時間管理部１１０は、例えばタイマから構成され、判定部１０３の制御の下、未分割メッセージデータを構成するいずれか１件の分割メッセージデータを受信したときに計時を開始し、所定時間経過時に計時を終了する。
【０１０６】
次に、図１４に示すフローチャートを用いて、第２実施形態のメッセージデータ送受信装置の処理について説明する。ステップＳ２０１において、受信部１０１は、受信したメッセージデータを抽出部１０２に通知し、抽出部１０２は、通知されたメッセージデータから送信情報を抽出し（ステップＳ２０２）、抽出した送信情報をメッセージデータと併せて判定部１０３に通知する。
【０１０７】
ステップＳ２０３において、判定部１０３は、抽出部１０２から通知された送信情報の分割識別子が、分割メッセージデータを示すと判定した場合（ステップＳ２０３でＹＥＳ）、ステップＳ２０４に進む。
【０１０８】
一方、ステップＳ２０３において、判定部１０３は、抽出部１０２から通知された送信情報の分割識別子が、分割メッセージデータを示さないと判定した場合（ステップＳ２０３でＮＯ）、図３に示すステップＳ１０６に処理を進める。以降、第２実施形態のメッセージデータ送受信装置の処理は、第１実施形態のメッセージデータ送受信装置の処理と同一であるため説明を省略する。
【０１０９】
ステップＳ２０４において、判定部１０３は、受信した分割メッセージデータが、未分割メッセージデータを構成する分割メッセージデータのうち、最初に受信した分割メッセージデータであると判定した場合（ステップＳ２０４でＹＥＳ）、時間管理部１１０に計時を開始させる（ステップＳ２０５）。
【０１１０】
この場合、判定部１０３は、受信した分割メッセージデータの送信情報と、分割メッセージデータ記録部１０９に記録されている分割メッセージデータの送信情報とを比較することにより、最初に受信した分割メッセージデータであるか否かの判定を行なう。詳細には、分割メッセージデータの送信情報に含まれる題名及び送信時間情報を同一とする分割メッセージデータが、分割メッセージデータ記録部１０９に記録されているか否かを判定し、記録されていない場合、受信した分割メッセージデータは、未分割メッセージデータを構成する分割メッセージのうち、最初に受信した分割メッセージデータであると判定する。
【０１１１】
一方、ステップＳ２０４において、判定部１０３は、受信した分割メッセージデータが、未分割メッセージデータを構成する分割メッセージデータのうち、最初に受信した分割メッセージでないと判定した場合（ステップＳ２０４でＮＯ）、すなわち、受信した分割メッセージデータに関連する分割メッセージデータが受信済みである場合、ステップＳ２０５をスルーして、ステップＳ２０６に進む。
【０１１２】
この場合、判定部１０３は、分割メッセージデータの送信情報に含まれる題名及び送信時間情報を同一とする分割メッセージデータが、分割メッセージデータ記録部１０９に記録されていない場合、受信した分割メッセージデータは、未分割メッセージデータを構成する分割メッセージデータのうち、最初に受信した分割メッセージデータではないと判定する。なお、ステップＳ２０４において、判定部１０３は、未分割メッセージデータを構成する分割メッセージデータのうち１番目の分割メッセージデータを受信したときに時間管理部１１０の計時を開始してもよい。
【０１１３】
ステップＳ２０６において、時間管理部１１０が所定時間計時するまでに、未分割メッセージデータを構成する全ての分割メッセージデータを受信することができなかった場合（ステップＳ２０６でＹＥＳ）、判定部１０３は、未分割メッセージデータを構成する分割メッセージデータのうち、どの分割メッセージデータが未受信であるかを特定し、特定した情報をメッセージデータ作成部１０４に通知する。
【０１１４】
この場合、判定部１０３は、分割メッセージデータ記録部１０９に記録されている分割メッセージデータの中から、受信した分割メッセージデータに関連する分割メッセージデータを特定し、これらの分割メッセージデータの分割状態識別子を参照することにより、どの分割メッセージデータが未受信であるかを特定する。
【０１１５】
ステップＳ２０７において、メッセージデータ作成部１０４は、判定部１０３によって特定された情報を本文データとする通知メッセージデータを作成し、送信部１０８に送信させる。
【０１１６】
一方、ステップＳ２０６において、最初に分割メッセージデータを受信してから所定時間経過するまでに関連する全ての分割メッセージデータを受信できた場合（ステップＳ２０６でＮＯ）、図４に示すステップＳ１０８に進む。以降、第２実施形態にかかるメッセージデータ送受信装置の処理は、図４に示すフローチャートと同一の処理であるため説明を省略する。
【０１１７】
以上説明したように、第２実施形態にかかるメッセージデータ送受信装置によれば、未分割メッセージデータを構成する分割メッセージデータを受信できなかった場合、どの分割メッセージデータが受信できなかったかを示す通知メッセージデータを作成し、分割メッセージデータの送信元に送信するため、送信元は、到達していない分割メッセージデータのみを送信することができる。
【０１１８】
（第３実施形態）
第３実施形態のメッセージデータ送受信装置は、第２実施形態のメッセージデータ送受信装置に対し、未分割メッセージデータを構成する分割メッセージデータのうち、全ての分割メッセージデータを受信できなかった場合、受信側のメールサーバ４０に問い合わせる機能を新たに追加したものである。なお、第２実施形態のメッセージデータ送受信装置と同一のものは、同一の符号を付し説明を省略する。
【０１１９】
図１５は、第３実施形態のメッセージデータ送受信装置のブロック図を示している。第３実施形態のメッセージデータ送受信装置は、第２実施形態のメッセージデータ送受信装置に対し、問い合わせ部１１１が新たに追加されている。問い合わせ部１１１は、判定部１０３によって、未分割メッセージデータを構成する分割メッセージのうち、全ての分割メッセージデータが未受信であると判定された場合、分割メッセージデータを受信した側のメールサーバ４０に未受信の分割メッセージデータの存在の有無を問い合わせる。詳細には、問い合わせ部１１１は、受信済みの分割メッセージデータの題名及び送信日時情報を本文データとする問い合わせメールを作成し、送信部１０８を介してメールサーバ４０に送信する。
【０１２０】
問い合わせメールを受信したメールサーバ４０は、問い合わせメールの本文データが示す題名及び送信日時情報と同一のメッセージデータを記録しているか否かを調べ、同一のメッセージデータがある場合、未受信の分割メッセージデータがあると判定し、未受信のメッセージデータをメッセージデータ送受信装置に送信する。
【０１２１】
図１６は、第３実施形態のメッセージデータ送受信装置の動作を示すフローチャートである。ステップＳ３０１〜ステップＳ３０５までの処理は、図１４に示すステップＳ２０１〜ステップＳ２０５までの処理と同一であるため説明を省略する。
【０１２２】
ステップＳ３０６において、判定部１０３は、所定時間経過するまでに、未分割メッセージデータを構成する全ての分割メッセージデータを受信することができなかった場合（ステップＳ３０６でＹＥＳ）、問い合わせ部１１１にそのことを示す情報を通知する。
【０１２３】
ステップＳ３０７において、問い合わせ部１１１は、未分割メッセージデータを構成する分割メッセージデータのうち、未受信の分割メッセージデータがあることを示す問い合わせメッセージデータを作成し、送信部１０８を介してメールサーバ４０に送信する（ステップＳ３０７）。この場合、メールサーバ４０は、問い合わせにかかる分割メッセージデータを記録していれば、メッセージデータ送受信装置に対し、記録している分割メッセージデータを送信する。一方、問い合わせにかかる分割メッセージデータを記録していなければ、当該分割メッセージデータはないことをメッセージデータ送受信装置に通知する。
【０１２４】
ステップＳ３０８において、判定部１０３は、問い合わせによっても、未分割メッセージデータを構成する全ての分割メッセージデータを受信することができなかった場合（ステップＳ３０８でＹＥＳ）、どの分割メッセージデータが未受信であるかを特定し、特定した情報をメッセージデータ作成部１０４に通知する。一方、ステップＳ３０８において、判定部１０３は、問い合わせによって、未分割メッセージデータを構成する全ての分割メッセージデータを受信することができた場合（ステップＳ３０８でＮＯ）、図４に示すステップＳ１０８に処理を進める。
【０１２５】
ステップＳ３０９において、どの分割メッセージデータが未受信であるかを特定した情報が通知されたメッセージデータ作成部１０４は、通知された情報を本文データとする通知メッセージデータを作成し、送信部１０８を介して、分割メッセージデータの送信元に送信する。
【０１２６】
次に、通知メッセージデータの送信後に、当該メッセージデータが未受信であることを示す分割メッセージデータを受信した場合の処理について説明する。図１７は、その処理を示すフローチャートである。図１７に示すフローチャートは、第２実施形態に適用してもよい。なお、このフローチャートの処理が開始される前に、判定部１０３によって、受信したメッセージデータが分割メッセージデータであると判定されているものとする。
【０１２７】
まず、ステップＳ４０１において、受信部１０１が分割メッセージデータを受信すると、判定部１０３は、関連する分割メッセージデータが全て送信済みであるか否かを判定する。そして、判定部１０３は、関連する分割メッセージデータが全て受信済みであると判定した場合（ステップＳ４０１でＹＥＳ）、処理を終了する。一方、ステップＳ４０１において、判定部１０３は、関連する分割メッセージデータが全て揃っていないと判定した場合（ステップＳ４０１でＮＯ）、受信した分割メッセージデータを分割メッセージデータ記録部１０９に記録する（ステップＳ４０２）。そして、受信した分割メッセージデータの分割状態識別子を参照することにより、判定部１０３は、受信した分割メッセージデータの未分割メッセージデータにおける順序を特定し、メッセージデータ作成部１０４に通知する。
【０１２８】
ステップＳ４０３において、メッセージデータ作成部１０４は、判定部１０３から通知された情報を基に、どの分割メッセージデータを受信したかを示す情報を本文データとする再通知メッセージデータを作成し、送信部１０８を介して分割メッセージデータの送信元に送信する。
【０１２９】
これにより、分割メッセージデータの送信元は、一度、未受信と判断した分割メッセージデータのうち、受領確認メッセージデータが示す分割メッセージデータに関しては、再送信する必要はないと判断することができる。
【０１３０】
以上説明したように、第３実施形態にかかるメッセージデータ送受信装置によれば、送信元は、一度送信した分割メッセージデータを再度送信する回数を減少させることができるとともに、送信元のパケット代金の低減を図ることができる。また、メールサーバ４０に問い合わせているため、送信元に問い合わせる場合に比べて、問い合わせのレスポンスの高速化を図ることができる。
【０１３１】
（第４実施形態）
図１８は、第４実施形態にかかるメッセージデータ送受信装置のブロック図を示している。第４実施形態にかかるメッセージデータ送受信装置は、図１に示す第１実施形態のメッセージデータ送受信装置に対し、受信リスト作成部１１２、送信メッセージデータ記録部１１３及び送信リスト作成部１１４をさらに具備している。
【０１３２】
受信リスト作成部１１２は、操作部２０がユーザからの受信リストを表示する操作指令を受け付けた時、受信メッセージデータ記録部１０５に記録されている各メッセージデータの送信情報を基に、受信したメッセージデータの受信リストを作成し、表示部３０に表示する。
【０１３３】
送信メッセージデータ記録部１１３は、送信部１０８が送信した全てのメッセージデータを記録する。
【０１３４】
送信リスト作成部１１４は、操作部２０が、ユーザからの受信リストを表示する操作指令を受け付けた時、送信メッセージデータ記録部１１３を参照することにより、送信したメッセージデータの送信リストを作成する。
【０１３５】
次に、メッセージ送受信装置が受信リストを表示する際の動作について図１９に示すフローチャートを用いて説明する。ステップＳ５０１において、操作部２０を介してユーザからの受信リストを表示するための操作指令が行なわれると（ステップＳ５０１でＹＥＳ）、受信リスト作成部１１２は、受信メッセージデータ記録部１０５に記録されている各メッセージデータの送信情報に基づいて、受信リストを作成し（ステップＳ５０２）、作成した受信リストを表示部３０に表示する（ステップＳ５０３）。一方、受信リストを表示するための操作指令が行なわれない場合（ステップＳ５０１でＮＯ）、ステップＳ５０１に戻る。図２０は、未分割メッセージデータを構成する分割メッセージデータが全て受信済みである場合に、表示部３０に表示される受信リストの一例を示した図である。また、図２１は、未分割メッセージデータを構成する分割メッセージデータのうち、一部の分割メッセージデータが受信されていない場合に、表示部３０に表示される受信リストの一例を示した図である。
【０１３６】
受信リストＲＬ１は、１行につき１件のメッセージデータを表示し、１列目には、メッセージデータの受信状況を示すアイコンを表示するアイコン表示欄が設けられ、２列目には、メッセージデータの送信者を示す「送信者」の欄が設けられ、３列目には、メッセージデータの題名を表示する欄が設けられている。
【０１３７】
この場合、受信リスト作成部１１２は、受信メッセージデータ記録部１０５から各メッセージデータの分割識別子を参照し、分割メッセージデータの有無を判定する。そして、分割メッセージデータが存在する場合、受信リスト作成部１１２は、関連する分割メッセージデータを特定し、これらの分割メッセージデータを、１件のメッセージデータの表示欄に表示する。そして、受信リスト作成部１１２は、１件に纏められたメッセージデータのアイコンの表示欄には、分割にかかるメッセージデータであることを示す、上下方向に波線が引かれた封筒のアイコンを表示する（受信リストＲＬ１の１行目参照）。
【０１３８】
このように、分割にかかるメッセージデータを纏めて１件のメッセージデータの表示欄に表示しているため、他のメッセージデータを受信リストにより多く含ませることができる。特に、携帯電話のように、サイズが小さな表示部を備える装置に関しては、この受信リストは有用となる。
【０１３９】
受信リストＲＬ１において、未分割メッセージデータの欄が選択されると、各分割メッセージデータの題名が一覧表示された分割メッセージリストＤＲＬ１が表示される（ステップＳ５０４）。分割メッセージリストＤＲＬ１では、最下段から最上段に向けて、順番が後の分割メッセージが表示されているが、これに限定されず、最下段から最上段に向けて、順番が若い分割メッセージを表示してもよい。
【０１４０】
一方、関連する分割メッセージデータを全て受信していない場合、１件に纏められたメッセージデータのアイコンの表示欄には、分割にかかるメッセージデータであって、かつ、関連するメッセージデータが全て受信済みでないことを示すアイコンが表示される。この場合、図２１に示す受信リストＲＬ２の１行目のアイコン表示欄に示すように、上下方向に破線が引かれ、かつ、右半分が途切れた封筒のアイコンが表示される。
【０１４１】
受信リストＲＬ２において、１行目の被分割メッセージリストの欄が選択されると、分割メッセージリストＤＲＬ２が表示される。この場合、４件の分割メッセージデータのうち、２番目及び４番目の分割メッセージデータが未受信であるため、分割メッセージリストＤＲＬ２の２段目及び４段目には、それぞれ未送達（２／４）及び未送達（４／４）と表示される。
【０１４２】
次に、メッセージデータ送受信装置が送信リストを表示する際の動作について説明する。図２２は、メッセージデータ送受信装置が送信リストを表示する際の動作を示すフローチャートである。図２３は、送信リスト作成部１１４によって作成される送信リストに一例を示した図である。
【０１４３】
まず、ユーザから送信リストを表示する指示を受け付けると（ステップＳ６０１でＹＥＳ）、送信リスト作成部１１４は、送信メッセージデータ記録部１１３に記録されている各メッセージデータの送信情報に基づいて、送信リストを作成し（ステップＳ６０２）、表示部３０に表示する（ステップＳ６０３）。一方、送信リストを表示する指示を受け付けない場合（ステップＳ６０１でＮＯ）、ステップＳ６０１に戻る。
【０１４４】
この場合、図２３に示すような送信リストＳＬが作成される。この送信リストＳＬは、１行につき１件のメッセージデータを表示し、１列目には送信した各メッセージデータに対する受領確認メッセージデータが受信済みであるか否かを示すアイコンを表示するアイコン表示欄が設けられ、２列目には送信先のメールアドレスを表示する「送信先」欄が設けられ、３列目には題名を表示する「題名」欄が設けられている。
【０１４５】
この場合、送信リスト作成部１１４は、送信メッセージデータ記録部１１３に記録されている送信情報の題名と同一の文言からなり、かつ、当該文言の後に「（受領確認）」との文言が記された題名を有する送信情報が受信メッセージデータ記録部１０５に記録されているか否かにより、受領確認メッセージデータを受信しているか否かを判定する。そして、判定結果に応じて異なる種類のアイコンをアイコン表示欄に表示させる。
【０１４６】
受領確認メッセージが受信済みの送信メッセージデータのアイコン表示欄には、１行目に示すように、右方向の矢印と、当該矢印と同色（例えば黒）の左方向の矢印とが上下方向に並べて表示された封筒のアイコンを表示する。このとき、受領確認メッセージが受信済みの送信メッセージデータであり、かつ、現在から過去に遡り、所定件数（例えば１件）の送信メッセージのアイコン表示欄には、３行目に示すような、左方向の矢印が点滅表示されたアイコンを表示する。
【０１４７】
一方、受領確認メッセージが未受信の送信メッセージデータのアイコン表示欄には、２行目に示すように右方向の矢印と、当該矢印よりも異色（例えば赤）の左方向の矢印とが上下方向に並べて表示された封筒のアイコンを表示する。なお、受領確認メッセージを要求しない送信メッセージデータのアイコン表示欄には、４行目に示すように、右方向の矢印のみが表示された封筒のアイコンを表示する。
【０１４８】
ステップＳ６０４において、送信リストＳＬから１件の送信メッセージデータが選択されると、送信リスト作成部１１４は、選択された送信メッセージデータの本文データを示す本文表示画面ＳＬ１を表示する。本文表示画面ＳＬ１は、「題名」欄ＳＬ１１と、「題名」欄ＳＬ１１の下段に表示され、送信メッセージデータの本文を表示する本文表示欄ＳＬ１２と、本文表示欄ＳＬ１２の下段に表示され、受領確認メッセージデータの本文を表示する本文表示欄ＳＬ１３とを備えている。本文表示欄ＳＬ１３の上側には、受領確認メッセージの送信時刻が表示されている。そのため、受領確認メッセージデータがいつ送信されたかが一目で分かることができる。この送信時刻は、受領確認メッセージデータの送信時刻情報を参照することで得られる。なお、本文表示画面ＳＬ１の表示形態は、図２３に限定されず、例えば、本文表示欄ＳＬ１３の下段に本文表示欄ＳＬ１２を表示してもよい。
【０１４９】
なお、送信リストＳＬの２行目に示す受領確認メッセージデータが未受信及び４行目に示す受領確認メッセージデータの送信要求を行なっていない送信メッセージデータの欄が選択された場合、本文表示画面ＬＳ１には、題名表示欄ＳＬ１１及び本文表示欄ＳＬ１２のみが含まれる。
【０１５０】
以上説明したように、第４実施形態にかかるメッセージデータ送受信装置によれば、受信リストは、１件の分割メッセージデータを１件の表示欄に表示するのではなく、１件の未分割メッセージデータを１件の表示欄に表示しているため、異なるメッセージデータをより多く表示することができる。特に携帯電話のように表示部のサイズが小さい装置に対して、かかる受信リストは有用となる。
【０１５１】
また、受信リストにおいて、未分割メッセージデータのアイコン表示欄には、未分割メッセージデータであることを示すアイコンが表示されるため、ユーザはどのメッセージデータが未分割メッセージデータであるかを速やかに認識することができる。
【０１５２】
さらに、未分割メッセージデータを選択すると当該未分割メッセージデータを構成する分割メッセージデータを一覧表示する分割メッセージリストが表示されるため、ある分割メッセージデータに対し、関連する分割メッセージデータを容易に探し出すことができる。
【０１５３】
さらに、送信リストにおいて、受領確認メッセージデータが受信済みのメッセージデータと、受領確認メッセージデータが未受信のメッセージデータとが異なるアイコンで表示されるため、受領確認メッセージデータの受信及び未受信を容易に判定することができる。
【０１５４】
なお、第２実施形態及び第３実施形態は、以下に示す態様を採用してもよい。
【０１５５】
（１）判定部１０３は、時間管理部１１０の所定時間を０に設定してもよい。
【０１５６】
（２）判定部１０３は、時間管理部１１０の所定時間を、未分割メッセージの分割数ｍに応じて、以下に示す（２−１）及び（２−２）のように適宜変更してもよい。
（２−１）判定部１０３は、ｍが大きくなるにつれて所定時間を大きな値に設定する。
（２−２）判定部１０３は、ｍが大きくなるにつれて、所定時間を小さな値に設定する。
【０１５７】
（３）判定部１０３は、規定値ｉを設け、以下に示す（３−１）及び（３−２）のように、分割数ｍ＝ｉを境に、時間管理部１１０の所定時間を異なる値に設定してもよい。
（３−１）判定部１０３は、分割数ｍ＜（≦）規定値ｉの場合の所定時間Ｔ１と、ｍ≧（＞）規定値ｉの場合の所定時間Ｔ２とで、時間管理部１１０は、所定時間をＴ１＜Ｔ２となるように設定する。
（３−２）判定部１０３は、分割数ｍ＜（≦）規定値ｉの場合の所定時間Ｔ１と、ｍ≧（＞）規定値ｉの場合の所定時間Ｔ２とで、時間管理部１１０は、所定時間をＴ１＞Ｔ２となるように設定する。
【０１５８】
上記（２−１）及び（３−１）の場合、一般に未分割メッセージデータの分割数が小さいほど、１件の分割メッセージに対する重要度は高くなるという特性に応じた対応が可能となる。
【０１５９】
上記（２−２）及び（３−２）の場合、分割数ｍが小さい分割メッセージデータが比較的受信できている場合には、未受信のフォローが容易であるため、所定時間を小さくして、未受信の分割メッセージデータを早めにフォローすることができる。
【０１６０】
また、未受信の状況として、ネットワークのトラブルや、ネットワークのトラフィックなど、通信環境上、分割数ｍ＝規定値ｉ以降の分割メッセージデータが欠落することがあるが、この場合、上記（２）及び（３）の手法は有用となる。
【０１６１】
（４）操作部２０を介してユーザが入力した操作指令に応じて、判定部１０３は、時間管理部１１０の所定時間を任意の値に設定してもよいし、上記（２−１）、（２−２）、（３−１）及び（３−２）のいずれのパターンを採用するかの設定を行なうようにしても良い。これにより、サービス運用者やユーザが何を重視するかに応じた設定が可能になる。
【産業上の利用可能性】
【０１６２】
本発明のメッセージデータ送受信装置は、受領確認メッセージデータが一度送信されているメッセージデータに対し、再度受領確認メッセージデータが送信されず、また、分割メッセージデータに対しては、分割メッセージデータ毎に受領確認メッセージデータが送信されず、さらに、受領確認メッセージデータに対し、受領確認メッセージデータが送信されないため、通信リソースの使用効率の向上を図ることができる。
【図面の簡単な説明】
【０１６３】
【図１】本発明にかかるメッセージデータ送受信装置の第１実施形態の構成の一例を示すブロック図である。
【図２】受領確認メッセージデータが記録するデータを示した図である。
【図３】第１実施形態のメッセージデータ送受信装置の動作を示したフローチャートである。
【図４】第１実施形態のメッセージデータ送受信装置の動作を示したフローチャートである。
【図５】ユーザからの操作指令により、表示部に表示される画面の推移の一例を示した図である。
【図６】自動作成モードにおいて、ユーザが受領確認メッセージを送信する操作を行なった際に、表示部にされる種々の画面の一例を示した図である。
【図７】手動作成モードにおいて、作成対象となる受領確認メッセージデータの送信先識別子に対応する本文データが、受領確認メッセージデータ作成情報に存在する場合、ユーザが受領確認メッセージデータを送信する操作を行なった際、表示部３０に表示される種々の画像の一例を示した図である。
【図８】手動作成モードにおいて、作成対象となる受領確認メッセージデータの送信先識別子に対応する本文データが、受領確認メッセージデータ作成情報に存在しない場合、ユーザが受領確認メッセージを送信する操作を行なった際、表示部に表示される種々の画面の一例を示した図である。
【図９】手動作成モードにおいて、受領確認メッセージデータが受信済みのメッセージデータに対して、再度、受領確認メッセージデータを送信する操作をユーザが行なった際に、表示部に表示される種々の画面の一例を示した図である。
【図１０】手動作成モードにおいて、受領確認メッセージデータに対して、受領確認メッセージデータを送信する操作をユーザが行なった際に、表示部に表示される種々の画像の一例を示した図である。
【図１１】手動作成モードにおいて、分割メッセージデータのうち最終の分割メッセージデータに対して、受領確認メッセージデータを送信する操作をユーザが行なった際に、表示部３０に表示される種々の画像を示した図である。
【図１２】手動作成モードにおいて、分割メッセージデータのうち最初の分割メッセージデータに対して、受領確認メッセージデータを送信する操作をユーザが行なった際に、表示部に表示される種々の画面を示した図である。
【図１３】第２実施形態のメッセージデータ送受信装置のブロック図を示している。
【図１４】第２実施形態のメッセージデータ送受信装置の処理を示すフローチャートである。
【図１５】第３実施形態のメッセージデータ送受信装置のブロック図を示している。
【図１６】第３実施形態のメッセージデータ送受信装置の動作を示すフローチャートである。
【図１７】通知メッセージデータの送信後に、当該メッセージデータが未受信であることを示す分割メッセージデータを受信した場合の処理を示すフローチャートである。
【図１８】第４実施形態にかかるメッセージデータ送受信装置のブロック図を示している。
【図１９】メッセージ送受信装置が受信リストを表示する際の動作を示すフローチャートである。
【図２０】未分割メッセージデータを構成する分割メッセージデータが全て受信済みである場合に、表示部に表示される受信リストの一例を示した図である。
【図２１】未分割メッセージデータを構成する分割メッセージデータのうち、一部の分割メッセージデータが受信されていない場合に、表示部に表示される受信リストの一例を示した図である。
【図２２】メッセージデータ送受信装置が送信リストを表示する際の動作を示すフローチャートである。
【図２３】送信リスト作成部によって作成される送信リストに一例を示した図である。
【符号の説明】
【０１６４】
１０  本体部
２０  操作部
３０  表示部
４０  メールサーバ
１０１  受信部
１０２  抽出部
１０３  判定部
１０４  メッセージデータ作成部
１０５  受信メッセージデータ記録部
１０６  受領確認メッセージデータ送信情報記録部
１０７  受領確認メッセージデータ作成情報記録部
１０８  送信部
１０９  分割メッセージデータ記録部
１１０  時間管理部
１１１  問い合わせ部
１１２  受信リスト作成部
１１３  送信メッセージデータ記録部
１１４  送信リスト作成部
【図１】
2004289814.tif 000003
【図２】
2004289814.tif 000004
【図３】
2004289814.tif 000005
【図４】
2004289814.tif 000006
【図５】
2004289814.tif 000007
【図６】
2004289814.tif 000008
【図７】
2004289814.tif 000009
【図８】
2004289814.tif 000010
【図９】
2004289814.tif 000011
【図１０】
2004289814.tif 000012
【図１１】
2004289814.tif 000013
【図１２】
2004289814.tif 000014
【図１３】
2004289814.tif 000015
【図１４】
2004289814.tif 000016
【図１５】
2004289814.tif 000017
【図１６】
2004289814.tif 000018
【図１７】
2004289814.tif 000019
【図１８】
2004289814.tif 000020
【図１９】
2004289814.tif 000021
【図２０】
2004289814.tif 000022
【図２１】
2004289814.tif 000023
【図２２】
2004289814.tif 000024
【図２３】
2004289814.tif 000025